(57)【要約】【課題】容量の小さな、また接続台数の多い携帯電話やカーナビ等のモバイル端末のモバイルインターネットに容易に適用できるＵＲＬフィルタリングシステムを提供する。【構成】Ｗｅｂサイトをカテゴリ別に分類し、カテゴリ別に分類した各Ｗｅｂサイトにカテゴリ別のアプレットをもたせ、モバイル端末サイドにはアプレット判断プログラムを持たせ、上記モバイル端末サイドにおいてカテゴリ毎のアプレットを閲覧する／しないの判断をすることで、呼出したＷｅｂサイトのアプレットとモバイル端末における指定したアプレットとでのマッチングを行い、各Ｗｅｂサイトのフィルタリングをする【選択図】    図１
2004355524.tif 000002
【特許請求の範囲】
【請求項１】
Ｗｅｂサイトをカテゴリ別に分類し、カテゴリ別に分類した各Ｗｅｂサイトにカテゴリ別のアプレットをもたせ、モバイル端末サイドにはアプレット判断プログラムを持たせ、上記モバイル端末サイドにおいてカテゴリ毎のアプレットを閲覧する／しないの判断をすることで、呼出したＷｅｂサイトのアプレットとモバイル端末における指定したアプレットとでのマッチングを行い、各Ｗｅｂサイトのフィルタリングをすることを特徴とする、  携帯，カーナビ等のモバイルインターネットを対象としたＵＲＬフィルタリングシステム。
【請求項２】
Ｗｅｂサイトをカテゴリ別に分類し、カテゴリ別に分類した各Ｗｅｂサイトにカテゴリ別のアプレットをもたせ、モバイル端末サイドにアプレット判断プログラムを持たせるのは、モバイルインターネット内の別途サーバーで管理することを特徴とする、請求項１に記載の携帯，カーナビ等のモバイルインターネットを対象としたＵＲＬフィルタリングシステム。
【発明の詳細な説明】
【０００１】
【発明の属する技術分野】
この発明は、携帯電話やカーナビ等のモバイルインターネットを対象としたＵＲＬフィルタリングシステム（方法）に関するものである。
【０００２】
【従来の技術】
従来、携帯電話やカーナビ等のモバイル端末機では、出会い系サイトやアダルト系サイト等、どのジャンルのものも自由に閲覧できるようになっている。しかし、このインターネットを利用することによって、犯罪や事件、事故が著しく増加しているのも事実である。警視庁の出会い系サイト犯罪検挙率の９割以上が携帯電話等のモバイルインターネットをきっかけに発生している。また、携帯電話でのショッピングも開始されており、モバイルインターネット上での、これらの出会い系サイトやアダルト系サイト、ショッピングサイト等、自己にとって不要なサイトのフィルタリングの必要性が叫ばれている。
一方、従来のフィルタィングは、パソコンでのインターネットで利用されており、これは図４に示すように、プロキシサーバー等、サーバー機器でのフィルタリング対象データベースとのマッチング方式やＨＴＭＬを分解してのＡＩによる判別方式などがある。
【０００３】
【発明が解決しようとする課題】
しかしながら、従来のフィルタリングはインターネットのプロキシサーバーでフィルタリング対象データベースとのマッチング、及びＨＴＭＬを分解してのＡＩ技術であり、容量的に、また、接続台数の多いモバイルインターネットには適用できない。
【０００４】
この発明は、これらの点に鑑みて為されたものであり、容量の小さな、また接続台数の多い携帯電話やカーナビ等のモバイル端末のモバイルインターネットに容易に適用できるＵＲＬフィルタリングシステムを提供し、上記課題を解決しようとするものである。
【０００５】
【課題を解決するための手段】
そこで、請求項１項の発明は、Ｗｅｂサイトをカテゴリ別に分類し、カテゴリ別に分類した各Ｗｅｂサイトにカテゴリ別のアプレットをもたせ、モバイル端末サイドにアプレット判断プログラムを持たせ、上記モバイル端末サイドにおいてカテゴリ毎のアプレットを閲覧する／しないの判断をすることで、呼出したＷｅｂサイトのアプレットとモバイル端末における指定したアプレットとでのマッチングを行い、マッチングしないカテゴリのフィルタリングをする、又はマッチングするカテゴリのフィルタリングをする、携帯・カーナビ等のモバイルインターネットを対象としたＵＲＬフィルタリングシステム（方法）とした。
【０００６】
また、請求項２項の発明は、上記請求項１に記載のＵＲＬフィルタリングシステム（方法）において、Ｗｅｂサイトをカテゴリ別に分類し、カテゴリ別に分類した各Ｗｅｂサイトにカテゴリ別のアプレットをもたせ、モバイル端末サイドにアプレット判断プログラムを持たせるのは、モバイルインターネット内の別途サーバーで管理することとした。
【０００７】
【実施の形態例】
以下この発明を詳細に説明する。
モバイルインターネットでは、図１に示すように、携帯端末機１の利用者側は、携帯電話会社２と契約することにより、この携帯電話会社２を経由して、様々なジャンルのＷｅｂサイト３を自由に閲覧できるようになっている。
この発明では、携帯電話会社２は、予め種々のＷｅｂサイト３をカテゴリ別に分類する。例えば、Ａグループとして、「天気／ニュース」、「スポーツ」、「着メロ」、「待ち受け」、「占い」、「トラベル」、「ゲーム」、「エンター」、「求人情報」、「ペット」、「温泉」…、Ｂグループとして、「行政」、「医療」、「教育」、Ｃグループとして、「モバイルバンキング」、「ショピング」、「ギャンブル」、「メルトモ」、Ｄグループとして、「アダルト」のようにカテゴリ別に分類する。
これらの「天気／ニュース」、「スポーツ」等のカテゴリ別に分類したＷｅｂサイト３の各Ｗｅｂサイトに、カテゴリ別のアプレットを決めておく。例えば、「天気／ニュース」のカテゴリには星印、「スポーツ」には◎印、「アダルト」は△印等のアップレットを付する。
【０００８】
そこで、各Ｗｅｂサイト３の情報提供者側では、自己のＷｅｂサイトに、上記携帯電話会社２の定めたカテゴリ別のアプレットに従って、相応するアプレットを持たせる。
また、携帯端末機１などのモバイル端末サイドにおいては、上記携帯電話会社２の定めたＷｅｂサイトの各カテゴリ毎のアプレット判断プログラムを持たせ、これらのアプレットを「閲覧する」／「しない」の選択、設定を入力するソフトを設ける。そして、上記カテゴリの選択画面が、パスワードの入力により表示されるようになっている。これを図２に示す。
Ａグループは、モバイル端末利用者が各カテゴリ毎に「閲覧する」／「しない」を予め自由に選択して、設定しておく。また、Ｂグループは標準が各カテゴリのＷｅｂサイトを「閲覧する」を予め選択しており、「閲覧しない」を設定するには別途携帯電話会社２に申し込みが必要である。また、Ｃグループは初期設定を各カテゴリのＷｅｂサイトを「閲覧しない」に設定しており、利用者はこのグループの各カテゴリを閲覧したければ、「閲覧する」を選択、設定しなければならない。
【０００９】
また、Ｄグループの「アダルト」のカテゴリは「アダルト（１８未禁）」と表示され、「閲覧しない」が標準となっており、「閲覧する」に設定するには、携帯電話会社２に別途申し込みが必要としている。また、これらのカテゴリ毎の選択設定を「制限なし」とすることも出来、その場合は「制限なし」を○に選択、設定する。これにより、上記各グループの各カテゴリのＷｅｂサイトは全て閲覧できることとなる。
また、図２中、詳細設定とは、ユーザが独自にＵＲＬをカテゴリに追加／削除することができる。
また、実際には、各カテゴリ表示は、テキストとアイコンの併用表示をする。
【００１０】
そして、携帯端末機１の利用者が、携帯端末機１上で、呼出したＷｅｂサイト３のアプレットと携帯端末機１における指定したアプレットとでマッチングを行い、マッチングしないカテゴリをフィルタリングし、そのカテゴリに属するＷｅｂサイトは閲覧できない。マッチングした場合は、そのカテゴリのＷｅｂサイトを閲覧することができる。具体的には、例えば、携帯端末機１で利用者が「スポーツ」のカテゴリのＷｅｂサイト３は「閲覧する」と設定し、「アダルト」のカテゴリのＷｅｂサイト３を「閲覧しない」と予め設定している時は、呼出したＷｅｂサイト３が△印のアプレットをもっていた場合、携帯電話機１ではマッチングせず、閲覧できない。しかし、呼出したＷｅｂサイトが◎印のアプレットをもっていれば、閲覧できる。また、アプレットを持たないＷｅｂサイト３は携帯電話機１のサイドで設定しない限り、閲覧できない。
【００１１】
また、携帯電話会社２では管理Ｗｅｂを置き、モバイルインターネット向けＷｅｂへのアプレットの登録、公開、管理を行う。アプレットは模倣や複製されることのないよう個別審査した後に発行する。この管理Ｗｅｂにおいてモバイルインターネット向けＷｅｂサイトのＰ登録の際にＷｅｂサイトの管理者または責任者を定めてもらうため、携帯電話会社２でこれらの管理者又は責任者を把握でき、法律に準拠していないＷｅｂサイトの場合は、当該管理者等への警告、アプレットの取り消し、行政への通報等の処置が可能である。また、上記管理Ｗｅｂでは、携帯電話機１の利用者へカテゴリ毎のリストを作成し、公開する。また、Ｗｅｂサイト３側のモバイルインターネット向けＷｅｂ管理者等には、必要な情報や、ツールの提供を行う。
【００１２】
なお、上記実施の形態例では、携帯電話機１としたが、これに限らず、モバイルインターネットにアクセスできるカーナビ、その他のモバイル端末機にも適用できる。その場合上記実施の形態例の携帯電話会社２はモバイル端末機管理会社に相応する。
また、上記実施の形態例では、管理サーバーは携帯電話会社２にあるものとしたが、これは図３に示すように、同一インターネット内であれば、携帯電話会社２とは別に、管理サーバー４をどこにおいても構わず、当該管理サーバー４により上記携帯電話会社２と同様の管理を行うことができる。
また、上記実施の形態例では、アップレットとしているが、これはＪＡＶＡ（登録商標）だけでなく、どの言語で作成してもよい。
【００１３】
【発明の効果】
請求項１の発明によれば、モバイル端末機の利用者にとって、不要又は不適切なカテゴリのＷｅｂサイトを閲覧することがなくなり、モバイルインターネットを媒体とする事件や事故を少なくすることができる。また、このようなフィルタリングが、モバイル端末機にアップレット判断プログラムの設定、マッチング等の簡単なソフトを入れれば可能となり、極めてフィルタリングが容易、かつ確実である。しかもこのようなフィルタリングの選択が、モバイル端末機の契約利用者が自由に行え、便利である。
また、請求項２の発明においては、モバイル端末機管理会社等の管理サーバーを取り扱う者は各Ｗｅｂサイト管理者の情報を持つことができるため、法律を守っていないＷｅｂサイトを容易に見つけ、締め出すこともでき、各Ｗｅｂサイトの管理が容易となる。
【図面の簡単な説明】
【図１】この発明の実施の形態例の概念図である。
【図２】この発明の実施の形態例の携帯電話機のカテゴリ選択画面図である。
【図３】この発明の他の実施の形態例の概念図である。
【図４】従来のパソコンにおける、フィルタリングシステムの概略図である。
【符号の説明】
１      携帯電話機                  ２  携帯電話会社
３      Ｗｅｂサイト                ４  管理サーバー
【図１】
2004355524.tif 000003
【図２】
2004355524.tif 000004
【図３】
2004355524.tif 000005
【図４】
2004355524.tif 000006